(57)【要約】【課題】データの送信先を容易に指定することができる通信装置、通信システムおよび通信プログラムを提供する。【解決手段】  テーブル記憶部１８は、他の通信装置の情報と他の通信装置のユーザの生体情報との対応を定めたテーブルを記憶する。表示部２１は、１または複数の項目を表示する。入力部２０は、ユーザの生体の一部を用いた操作を受け付ける。指示特定部３２は、表示部２１に表示された項目のうち、ユーザが入力部２０に対して操作することによって選択した項目に関連するデータを特定する。指紋情報生成部２５は、項目を選択したユーザの生体の特徴を表わす第１の生体情報を生成する。装置特定部１６は、テーブルを参照して、生成された第１の生体情報に対応する通信装置を特定する。通信部１２は、特定された通信装置に特定されたデータを送信する。【選択図】図２
2010277275.tif 000002
【特許請求の範囲】
【請求項１】
他の通信装置に関する情報と前記他の通信装置のユーザの生体情報とを関連付けて記憶する記憶部と、
１または複数の項目を表示する表示部と、
ユーザの生体の一部を用いた操作を受け付ける入力部と、
前記表示部に表示された項目のうち、ユーザが前記入力部に対して操作することによって選択した項目に関連するデータを特定する指示特定部と、
前記項目を選択したユーザの生体の特徴を表わす第１の生体情報を生成する生体情報生成部と、
前記記憶部を参照して、前記生成された第１の生体情報に対応する通信装置を特定する装置特定部と、
前記特定された通信装置へ前記特定されたデータを送信する通信部とを備えた、通信装置。
【請求項２】
前記記憶部は、さらに、自装置の情報と前記自装置のユーザの生体情報とを関連付けて記憶し、
前記表示部は、前記第１の生体情報に対応する通信装置を特定した後、さらに前記特定された通信装置へのデータの送信を許可するか否かの選択を求める画像を表示し、
前記指示特定部は、さらに、前記画像が表示されているときに、ユーザが前記入力部に対して操作することによってユーザが前記送信の許可を選択したか否かを特定し、
前記生体情報生成部は、さらに、送信許可を選択したユーザの生体の特徴を表わす第２の生体情報を生成し、
前記装置特定部は、さらに、前記記憶部を参照して、前記生成された第２の生体情報に対応する通信装置を特定し、
前記通信部は、前記第２の生体情報に対応する通信装置が自装置である場合にのみ、前記特定されたデータを送信する、請求項１記載の通信装置。
【請求項３】
前記生体情報は指紋情報である、請求項１記載の通信装置。
【請求項４】
前記通信装置は、さらに、
前記通信装置の傾きを検出する検出部を備え、
前記表示部は、前記検出した通信装置の傾きに応じて、前記項目の表示形態を変更する、請求項１記載の通信装置。
【請求項５】
前記通信装置は、
前記自装置および他の通信装置に関する情報と前記自装置および他の通信装置のユーザの生体情報とを関連付けるテーブルを作成するテーブル作成部を備え、
前記生体情報生成部は、前記生体情報の登録時にユーザの生体の特徴を表わす第３の生体情報を生成し、
前記通信部は、他の通信装置から、前記他の通信装置のユーザの生体情報を受信し、
前記テーブル作成部は、前記生成した自装置のユーザの生体情報および前記受信した他の通信装置のユーザの生体情報に基づいて、前記テーブルを作成する、請求項１記載の通信装置。
【請求項６】
他の通信装置に関する情報と前記他の通信装置のユーザの生体情報とを関連付けて記憶する記憶部と、
１または複数の項目を表示する表示部と、
ユーザの生体の一部を用いた操作を受け付ける入力部と、
前記表示部に表示された項目のうち、ユーザが前記入力部に対して操作することによって選択した項目に関連するデータを特定する特定部と、
前記入力部が操作を受け付けたときに、前記項目を選択したユーザの生体の特徴を表わす第１の生体情報を生成する生体情報生成部と、
前記第１の生体情報に対応する通信装置に前記特定されたデータを送信する送信部とを備えた、通信装置。
【請求項７】
他の通信装置に関する情報と前記他の通信装置のユーザの生体情報とを関連付けて記憶する記憶部と、
１または複数の項目を表示することが可能であり、ユーザの生体の一部を用いた操作を受け付けることが可能な表示入力部と、
前記表示入力部に表示された項目のうち、ユーザが前記表示入力部に対して操作することによって選択した項目に関連するデータを特定する特定部と、
前記表示入力部が操作を受け付けたときに、前記項目を選択したユーザの生体の特徴を表わす第１の生体情報を生成する生体情報生成部と、
前記第１の生体情報に対応する通信装置に前記特定されたデータを送信する送信部とを備えた、通信装置。
【請求項８】
前記特定部は、さらに、前記特定されたデータを送信する前に、データを送信するか否かの選択の指示を受け付け、
前記記憶部は、自装置の情報と自装置のユーザの生体情報とを関連付けて記憶し、
前記生体情報生成部は、ユーザが前記入力部に対して操作することによりデータを送信することを選択したときに、選択したユーザの生体の特徴を表わす第２の生体情報を生成し、
前記送信部は、データを送信することが選択された場合において、前記第２の生体情報が自装置と関連付けられているときは、前記特定されたデータを前記第１の生体情報に対応する通信装置に送信する、請求項６記載の通信装置。
【請求項９】
前記特定部は、さらに、前記特定されたデータを送信する前に、データを送信するか否かの選択の指示を受け付け、
前記記憶部は、自装置の情報と自装置のユーザの生体情報とを関連付けて記憶し、
前記生体情報生成部は、ユーザが前記表示入力部に対して操作することによりデータを送信することを選択したときに、選択したユーザの生体の特徴を表わす第２の生体情報を生成し、
前記送信部は、データを送信することが選択された場合において、前記第２の生体情報が自装置と関連付けられているときは、前記特定されたデータを前記第１の生体情報に対応する通信装置に送信する、請求項７記載の通信装置。
【請求項１０】
前記送信部は、データ送信することが選択された場合において、前記第２の生体情報が自装置に対応していないときには、前記特定されたデータを送信しない、請求項８または９に記載の通信装置。
【請求項１１】
複数の通信装置からなる通信システムであって、
送信元の通信装置は、
他の通信装置に関する情報と前記他の通信装置のユーザの生体情報とを関連付けて記憶する記憶部と、
１または複数の項目を表示する表示部と、
ユーザの生体の一部を用いた操作を受け付ける入力部と、
前記表示部に表示された項目のうち、ユーザが前記入力部に対して操作することによって選択した項目に関連するデータを特定する指示特定部と、
前記項目を選択したユーザの生体の特徴を表わす第１の生体情報を生成する生体情報生成部と、
前記記憶部を参照して、前記生成された第１の生体情報に対応する通信装置を特定する装置特定部と、
前記特定された通信装置へ前記特定されたデータを送信する通信部とを備え、
前記送信先の通信装置は、
前記送信元の通信装置から送信されたデータを受信する受信部を備えた、通信システム。
【請求項１２】
コンピュータを、
他の通信装置に関する情報と前記他の通信装置のユーザの生体情報とを関連付けて記憶する記憶部と、
１または複数の項目を表示する表示部と、
ユーザの生体の一部を用いた操作を受け付ける入力部と、
前記表示部に表示された項目のうち、ユーザが前記入力部に対して操作することによって選択した項目に関連するデータを特定する指示特定部と、
前記項目を選択したユーザの生体の特徴を表わす第１の生体情報を生成する生体情報生成部と、
前記記憶部を参照して、前記生成された第１の生体情報に対応する通信装置を特定する装置特定部と、
前記特定された通信装置へ前記特定されたデータを送信する通信部として機能させる、通信プログラム。
【発明の詳細な説明】
【技術分野】
【０００１】
本発明は、通信装置、通信システムおよび通信プログラムに関する。
【背景技術】
【０００２】
複数の通信装置間で、データを通信する場合には、送信するデータを指定して、送信する相手を指定する必要がある。送信相手の指定は、たとえばメール送信の場合にはアドレス帳から送信相手のアドレスを選択する方法が用いられている（たとえば、非特許文献１を参照）。また、Bluetooth（ブルートース）の場合には、ＩＤのリストから選択する方法が用いられている。
【先行技術文献】
【非特許文献】
【０００３】
【非特許文献１】アドレス帳からメールを作成／ヘルプ  インターネット（https://imode.net/cmn/help/address/address_mail.html）
【発明の概要】
【発明が解決しようとする課題】
【０００４】
しかしながら、従来の送信相手の指定方法では、送信相手がすぐ目の前にいる場合でも、送信相手をアドレス帳やＩＤリストから選択する必要がある。また、アドレス長やＩＤリストの登録数が多い場合、または登録名が似ているものがある場合には、送信先の選択は、煩雑となり、中には誤った選択がなされる場合がある。
【０００５】
それゆえに、本発明の目的は、データの送信先を容易に指定することができる通信装置、通信システムおよび通信プログラムを提供することである。
【課題を解決するための手段】
【０００６】
上記課題を解決するために、本発明の一実施形態の通信装置は、他の通信装置に関する情報と他の通信装置のユーザの生体情報とを関連付けて記憶する記憶部と、１または複数の項目を表示する表示部と、ユーザの生体の一部を用いた操作を受け付ける入力部と、表示部に表示された項目のうち、ユーザが入力部に対して操作することによって選択した項目に関連するデータを特定する指示特定部と、項目を選択したユーザの生体の特徴を表わす第１の生体情報を生成する生体情報生成部と、記憶部を参照して、生成された第１の生体情報に対応する通信装置を特定する装置特定部と、特定された通信装置へ特定されたデータを送信する通信部とを備える。
【発明の効果】
【０００７】
本発明の一実施形態によれば、データの送信先を容易に指定することができる。
【図面の簡単な説明】
【０００８】
【図１】本発明の第１の実施形態の通信システムの概略を説明するための図である。
【図２】第１の実施形態の通信装置の構成を表わす図である。
【図３】本発明の第１の実施形態の通信システムの動作手順を表わすフローチャートである。
【図４】本発明の第１の実施形態の画面例を表わす図である。
【図５】本発明の第１の実施形態の画面例を表わす図である。
【図６】本発明の第１の実施形態の画面例を表わす図である。
【図７】本発明の第１の実施形態の画面例を表わす図である。
【図８】本発明の第１の実施形態の変形例の動作手順を表わすフローチャートである。
【図９】本発明の第１の実施形態の変形例の画面例を表わす図である。
【図１０】本発明の第１の実施形態の画面例を表わす図である。
【図１１】本発明の第２の実施形態の通信システムの概略を説明するための図である。
【図１２】本発明の第２の実施形態の通信装置の構成を表わす図である。
【図１３】本発明の第２の実施形態の通信システムの動作手順を表わすフローチャートである。
【図１４】図１３のステップＳ４０１の処理手順を表わすフローチャートである。
【図１５】図１３のステップＳ４０２の処理手順を表わすフローチャートである。
【図１６】図１５のステップＳ６０４の処理手順を表わすフローチャートである。
【図１７】本発明の第２の実施形態の画面例を表わす図である。
【図１８】本発明の第２の実施形態の画面例を表わす図である。
【図１９】本発明の第２の実施形態の画面例を表わす図である。
【図２０】本発明の第２の実施形態の画面例を表わす図である。
【図２１】本発明の第２の実施形態の画面例を表わす図である。
【図２２】本発明の第２の実施形態の画面例を表わす図である。
【図２３】本発明の第２の実施形態の画面例を表わす図である。
【図２４】本発明の第２の実施形態の画面例を表わす図である。
【図２５】本発明の第２の実施形態の変形例の概略を説明するための図である。
【図２６】本発明の第２の実施形態の変形例の通信装置の構成を表わす図である。
【図２７】本発明の変形例の通信システムの概略を説明するための図である。
【発明を実施するための形態】
【０００９】
以下、本発明の実施形態について図面を参照して説明する。
［第１の実施形態］
（概略）
図１は、本発明の第１の実施形態の通信システムの概略を説明するための図である。
【００１０】
図１を参照して、通信装置５０ａをユーザＡが使用し、通信装置５０ｂをユーザＢが使用しているとする。ユーザＢは、ユーザＡが使用している通信装置５０ａに表示されている項目を選択することによって、通信装置５０ａから通信装置５０ｂへ選択された項目に関連するデータが送信される。ここで、通信装置５０ａは、ユーザＢの指紋情報を用いることによって、ユーザＢがデータの送信を要求していることがわかるので、ユーザＢが使用する通信装置５０ｂへデータを送信する。
【００１１】
（構成）
図２は、第１の実施形態の通信装置５０ａの構成を表わす図である。他の通信装置５０ｂもこれと同様の構成である。
【００１２】
図２を参照して、この通信装置５０ａは、データ記憶部１８およびテーブル記憶部１９からなる記憶部１３と、表示部２１および入力部２０を含む液晶パネル１５と、指示特定部３２と、指紋情報生成部２５と、装置特定部１６と、通信部１２と、データ処理部１７と、制御部１４とを備える。
【００１３】
テーブル記憶部１９は、自装置および１または複数の他の通信装置の情報と、それらの装置のユーザの指紋情報との対応を定めたテーブルを記憶する。ここでは、生体情報として指紋情報を用いるが、指紋情報以外の生体情報を用いてもよい。
【００１４】
データ記憶部１８は、他の通信装置へ送信するデータなどを記憶する。
液晶パネル（表示入力部）１５は、表示部と入力部が物理的に一体化されている。
【００１５】
表示部２１は、液晶ディスプレイで構成される。表示部２１は、１または複数の項目を表示する。また、表示部２１は、第１の指紋情報に対応する通信装置を特定した後、さらに特定され通信装置へのデータの送信を許可するか否かの選択を求める画像を表示する。
【００１６】
入力部２０は、ユーザの生体の一部、つまり指を用いた項目の選択操作を受け付ける。入力部２０は、タッチパネルとスキャナ機能を備えたものである。たとえば、インターネット（http://k-tai.impress.co.jp/cda/article/news_toppage/36103.html）に記載されているように、入力部２０は、それぞれが１画素に対応する光センサのアレイで構成される。この光センサのアレイを用いれば、表面にタッチパネル用のフィルムを必要とせず、複数点の同時認識が可能なタッチパネル機能と、スキャナ機能とを実現できる。各画素に光センサーを内蔵していることで、タッチパネルとして操作する際には複数点の検出、および移動の認識が可能であり、原理的には画素数分の点を検出できる。また、各画素に光センサーを搭載しているという特徴を活かし、スキャナ機能も実現できる。
【００１７】
指示特定部３２は、ユーザの指が、入力部２１のどの箇所に接触または接近したかによって、表示部２１に表示されているどの項目を選択したかを特定し、選択した項目に関連するデータを特定する。また、指示特定部３２は、ユーザの指が、ユーザが入力部２０のどの箇所に接触または接近したかによって、送信の許可を選択したか否かを特定する。
【００１８】
指紋情報生成部２５は、指示特定部３２でユーザが項目を選択したことを特定したと同時に、ユーザの指をスキャンして項目を選択したユーザの生体の特徴を表わす第１の指紋情報（画像データ）を生成する。また、指紋情報生成部２５は、ユーザがデータの送信許可を選択したことを特定したと同時に、ユーザの指をスキャンして送信許可を選択したユーザの指紋の特徴を表わす第２の指紋情報（画像データ）を生成する。このように、ユーザの生体の特徴として、指紋情報を用いることによって、高精度かつ容易にユーザを識別することができる。
【００１９】
装置特定部１６は、テーブルを参照して、第１の指紋情報に対応する通信装置、および第２の指紋情報に対応する通信装置を特定する。
【００２０】
通信部１２は、第２の指紋情報に対応する通信装置が自装置である場合に、第１の指紋情報に対応する通信装置にデータを送信する。通信部１２は、第２の指紋情報に対応する通信装置が自装置でない場合に、第１の指紋情報に対応する通信装置にデータを送信しない。
【００２１】
データ処理部１７は、データの管理、および通常のデータの操作処理（拡大、移動など）を行なう。
【００２２】
制御部１４は、通信装置内の各構成要素の処理を制御する。
（動作）
図３は、本発明の第１の実施形態の通信システムの動作手順を表わすフローチャートである。図４〜図７は、第１の実施形態の画面例を表わす図である。
【００２３】
まず、表示部２１は、図４に示すような選択可能な項目の一覧を表示する（ステップＳ１０１）。
【００２４】
次に、指示特定部３２が、ユーザが入力部２０に対して指で選択操作を行なうことによって項目を選択した場合には、選択した項目に関連するデータを特定する（ステップＳ１０２）。
【００２５】
指紋情報生成部２５は、ユーザが項目を選択しているユーザの指をスキャンして、第１の指紋情報を生成する（ステップＳ１０３）。
【００２６】
装置特定部１６は、テーブルを参照して、第１の指紋情報に対応する送信先の通信装置を特定する（ステップＳ１０４）。
【００２７】
データ処理部１７は、送信先の通信装置が自装置の場合には（ステップＳ１０５でＹＥＳ）、通常のデータの操作処理（拡大、移動など）を行なう（ステップＳ１０６）。
【００２８】
表示部２１は、送信先の通信装置が自装置以外の場合には（ステップＳ１０５でＮＯ）、図５に示すような送信確認画面を表示する（ステップＳ１０７）。
【００２９】
次に、指示特定部３２が、ユーザが入力部２０に対して指で選択操作を行なうことによって送信の許可を選択したか否かを特定する。送信の許可が選択された場合には（Ｓ１０８でＹＥＳ）、指紋情報生成部２５は、ユーザの指をスキャンして、第２の指紋情報を生成する（ステップＳ１０９）。
【００３０】
装置特定部１６は、テーブルを参照して、第２の指紋情報に対応する通信装置を特定する（ステップＳ１１０）。
【００３１】
データ処理部１７は、第２の指紋情報で特定された通信装置が自装置の場合、つまり所有者が送信を許可した場合には（ステップＳ１１１でＹＥＳ）、特定されたデータを送信する（ステップＳ１１２）。
【００３２】
次に、表示部２１は、図６に示すような送信終了通知画面を表示する（ステップＳ１１３）。
【００３３】
次に、指示特定部３２が、ユーザが入力部２０に対して指で選択操作を行なうことによって送信内容表示を選択したか否かを特定する。送信内容表示が選択された場合には（ステップＳ１１４でＹＥＳ）、表示部２１は、図７に示すような、送信したデータの画像を含む送信内容確認画面を表示する（ステップＳ１１５）。
【００３４】
以上のように、本発明の実施形態では、記憶部が、他の通信装置に関する情報と他の通信装置のユーザの生体情報とを関連付けて記憶し、表示部が、１または複数の項目を表示し、入力部が、ユーザの生体の一部を用いた操作を受け付け、指示特定部が、表示部に表示された項目のうち、ユーザが入力部に対して操作することによって選択した項目に関連するデータを特定し、生体情報生成部が、項目を選択したユーザの生体の特徴を表わす第１の生体情報を生成し、装置特定部が、記憶部を参照して、生成された第１の生体情報に対応する通信装置を特定し、通信部が、特定された通信装置へ特定されたデータを送信する。このような構成によって、データの送信を希望するユーザが、生体の一部を用いて送信元の通信装置に指示を与えるだけで、データの送信先を指定することができ、従来のアドレス帳やＩＤリストから送信先を選択するのに比べて、送信先の指定が容易となる。
【００３５】
また、本発明の実施形態では、記憶部は、さらに、自装置の情報と自装置のユーザの生体情報とを関連付けて記憶し、表示部は、第１の生体情報に対応する通信装置を特定した後、さらに特定された通信装置へのデータの送信を許可するか否かの選択を求める画像を表示し、指示特定部は、さらに、画像が表示されているときに、ユーザが入力部に対して操作することによってユーザが送信の許可を選択したか否かを特定し、生体情報生成部は、さらに、送信許可を選択したユーザの生体の特徴を表わす第２の生体情報を生成し、装置特定部は、さらに、記憶部を参照して、生成された第２の生体情報に対応する通信装置を特定し、通信部は、第２の生体情報に対応する通信装置が自装置である場合にのみ、特定されたデータを送信する。このような構成によって、送信元のユーザが、生体の一部を用いて自身が使用する通信装置に指示を与えることによってデータの送信を許可した場合のみ、データが送信されるので、データが送信元のユーザが知らないで勝手に送信されるのを防止することができる。
【００３６】
また、本発明の実施形態では、記憶部が、他の通信装置に関する情報と他の通信装置のユーザの生体情報とを関連付けて記憶し、表示部が、１または複数の項目を表示し、入力部が、ユーザの生体の一部を用いた操作を受け付け、特定部が、表示部に表示された項目のうち、ユーザが入力部に対して操作することによって選択した項目に関連するデータを特定し、生体情報生成部が、入力部が操作を受け付けたときに、項目を選択したユーザの生体の特徴を表わす第１の生体情報を生成し、送信部が、第１の生体情報に対応する通信装置に特定されたデータを送信する。このような構成によって、データの送信を希望するユーザが、生体の一部を用いて送信元の通信装置に指示を与えるだけで、データの送信先を指定することができ、従来のアドレス帳やＩＤリストから送信先を選択するのに比べて、送信先の指定が容易となる。
【００３７】
ここで、特定部は、さらに、特定されたデータを送信する前に、データを送信するか否かの選択の指示を受け付け、記憶部は、自装置の情報と自装置のユーザの生体情報とを関連付けて記憶し、生体情報生成部は、ユーザが入力部に対して操作することによりデータを送信することを選択したときに、選択したユーザの生体の特徴を表わす第２の生体情報を生成し、送信部は、データを送信することが選択された場合において、第２の生体情報が自装置と関連付けられているときは、特定されたデータを第１の生体情報に対応する通信装置に送信する。このような構成によって、送信元のユーザが、生体の一部を用いて自身が使用する通信装置の入力部に指示を与えることによってデータの送信を許可した場合に、データが送信されるので、データが送信元のユーザが知らないで勝手に送信されるのを防止することができる。
【００３８】
また、本発明の実施形態では、記憶部が、他の通信装置に関する情報と他の通信装置のユーザの生体情報とを関連付けて記憶し、表示入力部が、１または複数の項目を表示することが可能であり、ユーザの生体の一部を用いた操作を受け付けることが可能であり、特定部が、表示入力部に表示された項目のうち、ユーザが表示入力部に対して操作することによって選択した項目に関連するデータを特定し、生体情報生成部が、表示入力部が操作を受け付けたときに、項目を選択したユーザの生体の特徴を表わす第１の生体情報を生成し、送信部が、第１の生体情報に対応する通信装置に特定されたデータを送信する。このような構成によって、データの送信を希望するユーザが、生体の一部を用いて送信元の通信装置に指示を与えるだけで、データの送信先を指定することができ、従来のアドレス帳やＩＤリストから送信先を選択するのに比べて、送信先の指定が容易となる。
【００３９】
ここで、特定部は、さらに、特定されたデータを送信する前に、データを送信するか否かの選択の指示を受け付け、記憶部は、自装置の情報と自装置のユーザの生体情報とを関連付けて記憶し、生体情報生成部は、ユーザが表示入力部に対して操作することによりデータを送信することを選択したときに、選択したユーザの生体の特徴を表わす第２の生体情報を生成し、送信部は、データを送信することが選択された場合において、第２の生体情報が自装置と関連付けられているときは、特定されたデータを第１の生体情報に対応する通信装置に送信する。このような構成によって、送信元のユーザが、生体の一部を用いて自身が使用する通信装置の表示入力部に指示を与えることによってデータの送信を許可した場合に、データが送信されるので、データが送信元のユーザが知らないで勝手に送信されるのを防止することができる。
【００４０】
さらに、送信部は、データを送信することが選択された場合において、第２の生体情報が自装置に対応していないときには、特定されたデータを送信しない。このような構成によって、送信元のユーザ以外のユーザが勝手に指示を与えることによってデータの送信を許可した場合に、データが送信されないので、データが送信元のユーザが知らないで勝手に送信されるのを防止することができる。
【００４１】
［第１の実施形態の変形例１］
図８は、本発明の第１の実施形態の変形例の動作手順を表わすフローチャートである。図９および図１０は、第１の実施形態の変形例の画面例を表わす図である。
【００４２】
図８を参照して、第１の実施形態の変形例が、第１の実施形態と相違する点は、ステップＳ１０７に代えてステップＳ２０７が実行され、ステップＳ１１５に代えてステップＳ２１５が実行される点である。
【００４３】
ステップＳ２０７において、表示部２１は、図９に示すようなメール作成用の画面を表示する。図９において、宛先として「Ｂさん」が表示されているが、これは、第１の指紋情報が「Ｂさん」のものであると判断された場合に、自動的にＢさんのメールアドレスがデータ記憶部１８から読み出されて、メール作成画面に入力された場合を表わしている。
【００４４】
ユーザは、さらに入力部２０から題名とコメントの文字を入力する。文字入力は、文字を表示させて選択するものであってもよいし、キーボタンを有するものであれば、キーボタンを用いるものとしてもよい。
【００４５】
また、ステップＳ２１５において、表示部２１は、図１０に示すような、送信したデータの画像とコメントを含む送信内容確認画面を表示する。
【００４６】
なお、図８では、ステップＳ１１１でＮＯの場合には、ステップＳ１０１に戻ることとしたが、これに限定するものではなく、ステップＳ２０７に戻るものとしてもよい。
【００４７】
［第１の実施形態の変形例２］
第１の実施形態の通信装置は、コンピュータが通信プログラムを実行することによっても実現することができる。通信プログラムは、ＣＤ−ＲＯＭに格納されているものをコンピュータにインストールすることしてもよいし、あるいはインターネットでダウンロードすることによって、コンピュータにインストールすることとしてもよい。
【００４８】
通信プログラムは、コンピュータを、他の通信装置に関する情報と他の通信装置のユーザの生体情報とを関連付けて記憶する記憶部と、１または複数の項目を表示する表示部と、ユーザの生体の一部を用いた操作を受け付ける入力部と、表示部に表示された項目のうち、ユーザが入力部に対して操作することによって選択した項目に関連するデータを特定する指示特定部と、項目を選択したユーザの生体の特徴を表わす第１の生体情報を生成する生体情報生成部と、記憶部を参照して、生成された第１の生体情報に対応する通信装置を特定する装置特定部と、特定された通信装置へ特定されたデータを送信する通信部として機能させる。これによっても、第１の実施形態と同様に、データの送信を希望するユーザが、データの送信元の装置に指紋を入力するだけで、データの送信先を指定することができ、従来のアドレス帳やＩＤリストから送信先を選択するのに比べて、送信先の指定が容易となる。
【００４９】
［第２の実施形態］
（概略）
図１１は、本発明の第２の実施形態の通信システムの概略を説明するための図である。
【００５０】
図１１を参照して、通信装置６０ａをユーザＡが使用し、通信装置６０ｂをユーザＢが使用し、通信装置６０ｃをユーザＣが使用しているとする。ユーザＡ、Ｂ、Ｃは、通信装置６０ａ、６０ｂ、６０ｃを用いてババ抜きのゲームをしている。
【００５１】
各ユーザの通信装置には、自分の手持ちカードのみが表示される。各ユーザが、他のユーザの通信装置に表示されたカードを指で選択すると、指の指紋情報によって、選択されたカードの送信先が特定されて、選択されたカードが特定された送信先の通信装置に移動する。
【００５２】
（構成）
図１２は、本発明の第２の実施形態の通信装置６０ａの構成を表わす図である。他の通信装置６０ｂ、６０ｃの構成もこれと同様である。
【００５３】
図１２を参照して、この通信装置は、第１の実施形態と同様の構成に加えて、さらに、テーブル作成部６２を含む。
【００５４】
テーブル作成部６２は、ババ抜きゲームに参加するユーザが使用する通信装置のＩＤと、それらの通信装置のユーザの指紋情報との対応を定めたテーブルを作成する。
【００５５】
また、第２の実施形態の通信装置のデータ処理部６７は、ババ抜きゲームの進行のための特有の処理を行なう。また、第２の実施形態の通信装置の指示特定部３８は、ババ抜きゲームの進行に際して、ユーザの指示を特定する。
【００５６】
（動作）
図１３は、本発明の第２の実施形態の通信システムの動作手順を表わすフローチャートである。図１４は、図１３のステップＳ４０１の処理手順を表わすフローチャートである。図１５は、図１３のステップＳ４０２の処理手順を表わすフローチャートである。図１６は、図１５のステップＳ６０４の処理手順を表わすフローチャートである。図１７〜図２４は、第２の実施形態の通信装置の画面例を表わす図である。
【００５７】
まず、図１３を参照して、まず、ゲームの参加者の指紋の登録処理が行なわれ（ステップＳ４０１）、その後ゲームが行なわれる（ステップＳ４０２）。
【００５８】
次に、図１４を参照して、ステップＳ４０１の指紋の登録処理を説明する。
図１４において、オーナーユーザとは、ゲームを主催するユーザである。
【００５９】
オーナーユーザの通信装置の表示部２１は、図１７に示すようなアプリケーションの選択画面を表示する（ステップＳ５０１）。
【００６０】
次に、オーナーユーザの通信装置の指示特定部３８が、オーナーユーザが入力部２０に対して指で選択操作を行なうことによってババ抜きを選択したことを特定した場合には（ステップ５０２でＹＥＳ）、通信部１２は、周囲に存在する通信装置に自己の装置の端末ＩＤを送信するように要求する信号を送信する（ステップＳ５０３）。
【００６１】
周囲の通信装置の通信部１２は、この要求を受信し（ステップＳ５０４）、自分の端末ＩＤを返信する（ステップＳ５０５）。
【００６２】
オーナーユーザの通信装置の通信部１２は、周囲の通信装置から端末ＩＤを受信する（ステップＳ５０６）。
【００６３】
オーナーユーザの通信装置の表示部２１は、図１８に示すような、ゲームに参加する他のユーザの登録を求める画面を表示する（ステップ５０７）。
【００６４】
次に、オーナーユーザの通信装置の指示特定部３８が、オーナーユーザが入力部２０に対して指で選択操作を行なうことによってゲーム参加者を登録したことを特定した場合には（ステップＳ５０８でＹＥＳ）、オーナーユーザの通信装置の通信部１２は、ゲームに参加する他のユーザの通信装置へゲームの開始を通知する信号を送信する（ステップＳ５０９）。
【００６５】
ゲームに参加する他のユーザの通信装置の通信部１２は、ゲームの開始を通知する信号を受信する(ステップＳ５１０）。
【００６６】
次に、オーナーユーザの通信装置の表示部２１は、図１９に示すような指紋入力画面を表示する（ステップＳ５１１）。
【００６７】
次に、オーナーユーザが、入力部２０を通じて指紋を入力すると、オーナーユーザの指紋情報生成部２５は、オーナーユーザの指をスキャンして指紋情報を作成する。オーナーユーザの通信装置の通信部１２は、作成された指紋情報と自装置の端末ＩＤのセットをゲームに参加する他のユーザの通信装置へ送信する（ステップＳ５１２）。
【００６８】
ゲームに参加する他のユーザの通信装置も、同様に、指紋入力画面の表示、指紋の入力、指紋情報の生成、指紋情報の送信を行なう（ステップＳ５１１〜Ｓ５１３）。
【００６９】
次に、各通信装置の通信部１２は、ゲームに参加する他のユーザの通信装置から、指紋情報と端末ＩＤのセットを受信する（ステップＳ５１４）。
【００７０】
次に、各通信装置のテーブル作成部６２は、自装置の端末ＩＤと自装置で作成された指紋情報の対応関係、他の通信装置から受信した端末ＩＤと指紋情報の対応関係をテーブルに登録する（ステップＳ５１５）。
【００７１】
次に、図１５を参照して、図１３のステップＳ４０２のゲームの処理を説明する。
まず、オーナーユーザの通信装置のデータ処理部６７は、各ユーザの手持ちカードを決定する（ステップＳ６０１）。
【００７２】
次に、オーナーユーザの通信部１２は、ゲームに参加する他のユーザの通信装置へ手持ちカードを表わす信号を送信する（ステップＳ６０２）。
【００７３】
次に、ゲームに参加する他のユーザの通信装置の通信部１２は、手持ちカードを表わす信号を受信する（ステップＳ６０３）。
【００７４】
次に、ゲームを進行させるための処理が行なわれる（ステップＳ６０４）。
次に、図１６を参照して、図１５のステップＳ６０４のゲームの進行処理を説明する。
【００７５】
まず、表示部２１は、図２０および図２１に示すように、自己の手持ちカードを表示する（ステップＳ７０１）ここで、図２０は、オーナーユーザの通信装置の画面を表わし、図２１は、他のユーザの通信装置の画面を表わす。
【００７６】
次に、指示特定部３８が、ユーザが入力部２０を通じて選択操作を行なうことによって表面／裏面表示の切り替えを選択したか否かを特定する。表面／裏面表示の切り替えを選択したことを特定した場合には（ステップＳ７０２でＹＥＳ）、表示部２１は、現在表示されているカードが表面の場合には、裏面を表示し、現在表示されているカードが裏面の場合には表面を表示する。たとえば、表示部２１は、図２１に示すようなカードの表面が表示されているときに、裏向きアイコン９９が選択されると、図２２に示すようにカードの裏面を表示する。一方、表示部２１は、図２２に示すようなカードの裏面が表示されているときに、表向きアイコン９８が選択されると、図２１に示すようにカードの表面を表示する（ステップＳ７０３）。
【００７７】
次に、指示特定部３８が、ユーザが入力部２０を通じて選択操作を行なうことによって手持ちカードのうちの１つを選択したか否かを特定する。手持ちカードのうちの１つを選択したことを特定した場合には（ステップＳ７０４でＹＥＳ）、指紋情報生成部２５は、手持ちカードを選択しているユーザの指紋をスキャンして、指紋情報を作成する（ステップＳ７０５）。
【００７８】
次に、装置特定部１６は、テーブルを参照して、生成された指紋情報に対応する端末ＩＤを特定する。特定された端末ＩＤが自装置の端末ＩＤでない場合には（ステップＳ７０７でＹＥＳ）、データ処理部６７は、自己の手持ちカードから選択されたカードを削除する（ステップＳ７０８）。
【００７９】
データ処理部６７は、自己の手持ちカードが１つも存在しない場合には（ステップＳ７０９でＹＥＳ）、ゲームを終了する。
【００８０】
一方、自己の手持ちカードが存在する場合には（ステップＳ７０９でＮＯ）、通信部１２は、特定された端末ＩＤの通信装置へ選択されたカードを通知する信号を送信する（ステップＳ７１０）。
【００８１】
次に、表示部２１は、図２３に示すように、選択されたカードが削除されて更新された自己の手持カードを表示する。図２３は、オーナーユーザの通信装置の画面を表わす。図２３は、図２０の画面からカードが１枚削除された場合を表わす（ステップＳ７１１）。
【００８２】
次に、通信部１２が、他の通信装置から、選択されたカードを通知する信号を受信した場合には（ステップＳ７１２でＹＥＳ）、データ処理部６７は、自己の手持ちカードに選択されたカードを加える（ステップＳ７１３）。
【００８３】
データ処理部６７は、自己の手持ちカードのうち、数字が同一のペアが存在する場合には（ステップＳ７１４でＹＥＳ）、自己の手持ちカードからそのペアのカードを削除する（ステップＳ７１５）。
【００８４】
次に、データ処理部６７は、自己の手持ちカードが１つも存在しない場合には（ステップＳ７１６でＹＥＳ）、ゲームを終了する。
【００８５】
一方、表示部２１は、自己の手持ちカードが存在する場合には（ステップＳ７１６でＮＯ）、図２４に示すように選択されたカードが追加されて更新された自己の手持カードを表示する。図２４は、他のユーザの通信装置の画面を表わす。図２４は、図２１の画面からカードが１枚追加された場合を表わす（ステップＳ７１７）。
【００８６】
以上のように、本発明の実施形態では、第１の実施形態と同様に、送信先の指定が容易となる、およびデータが送信元のユーザが知らないで勝手に送信されるのを防止することができるという効果を有する。
【００８７】
また、第２の実施形態では、テーブル作成部は、自装置および他の通信装置に関する情報と自装置および他の通信装置のユーザの生体情報とを関連付けるテーブルを作成し、、生体情報生成部は、生体情報の登録時にユーザの生体の特徴を表わす第３の生体情報を生成し、通信部は、他の通信装置から、他の通信装置のユーザの生体情報を受信し、テーブル作成部は、生成した自装置のユーザの生体情報および受信した他の通信装置のユーザの生体情報に基づいて、テーブルを作成する。これにより、容易且つ迅速にテーブルを作成することができる。
【００８８】
［第２の実施形態の変形例］
（概略）
図２５は、第２の実施形態の変形例の概略を説明するための図である。
【００８９】
ユーザＡは、通信装置７０ａの表示部を自分の方に向けたときには、図２５（ａ）に示すように、自分の手持ちカードの表面が表示される。一方、ユーザＡが、通信装置７０ａの表示部がユーザＢが見えるように、通信装置７０ａを傾けたときには、図２５（ｂ）に示すように、自分の手持ちカードの裏面が表示される。ここで、通信装置が傾いたかどうかの検出には、傾きセンサを用いられる。
【００９０】
（構成）
図２６は、第２の実施形態の変形例の通信装置７０ａの構成を表わす図である。
【００９１】
図２６を参照して、この通信装置は、第２の実施形態の通信装置６０ａの構成に、さらに傾きセンサ７２が追加されている。
【００９２】
傾きセンサ７２は、磁気センサや加速度センサなどで構成され、通信装置の傾きを検出する。表示部２１は、通信装置の傾きに応じて、カード表示形態を変更する。すなわち、通信装置の傾きが他者が見ることができる所定の範囲内にある場合には、カードの裏面を表示し、通信装置の傾きが所定の範囲外にある場合には、カードの表面を表示する。このように、本変形例では、検出部が、通信装置の傾きを検出し、表示部は、検出した通信装置の傾きに応じて、項目の表示形態を変更する。これによって、プライバシやセキュリティの要請の高い項目を他人に見られないようにすることができる。
【００９３】
（変形例）
本発明は、上記の実施形態に限定されるものではなく、たとえば以下のような変形例も含む。
【００９４】
（１）  入力部
本発明の実施形態では、それぞれが各画素に対応する光センサのアレイを入力部として用いることによって、液晶ディスプレイ上のどの項目が選択されたかということと、選択したユーザの指紋情報をスキャンしたが、これに限定するものではない。入力部として感圧式のタッチパネルを用いて、液晶ディスプレイ上のどの項目が選択されたかということを検出し、さらに、タッチパネルとは別の独立した装置でユーザの指紋情報を生成するものとしてもよい。また、これらだけに限定されるものではなく、指紋認証が可能なタッチパネルであればどのようなものでもよい。たとえば、静電容量式のタッチパネルにおいて、感知した静電容量に基づいて、指紋情報を生成し、それを用いることとしてもよい。
【００９５】
（２）  人体通信
本発明の実施形態では、指紋によってユーザを識別することによって送信先の通信装置を特定したが、これに限定するものではなく、人体通信の技術を用いてもよい。たとえば、タッチパネルにタッチしたユーザが所持している通信装置（送信先の通信装置）の情報が、ユーザの人体を介して、タッチされた通信装置（送信元の通信装置）に伝送されるものとしてもよい。人体通信の技術については、送信機が体に誘起する微弱の電界の変化で情報を伝達するRedTactonが知られている。RedTactonについての詳細は、たとえばインターネット（http://www.redtacton.com）などに記載されている。
【００９６】
（３）  指紋の登録
本発明の実施形態では、ユーザは自己が使用する通信装置に指紋を入力し、生成された指紋情報を他の通信装置へ送信することによって、テーブルが作成されたが、これに限定されるものではない。
【００９７】
たとえば、全ユーザがオーナーユーザが使用する通信装置に指紋を入力し、オーナーユーザの通信装置が、全ユーザの指紋情報を生成することによってテーブルを作成し、作成されたテーブルを他の通信装置へ送信することとしてもよい。
【００９８】
（４）  ババ抜きゲーム
本発明の実施形態では、カードを選択したユーザの通信装置へカードが移動することを表わす信号を送信したが、これに限定するものではなく、他のすべての通信装置へもこの信号を送信することしてもよい。これによって、各通信装置が、ババ抜きに参加している
すべてのユーザの手持ちカードを把握することができる。
【００９９】
（５）  選択部
本発明の実施形態では、指示特定部３２が、ユーザが入力部２０に対して指で選択操作を行なうことによって送信の許可を選択したか否かを特定したが、これに限定するものではなく、図２７に示すように、指示特定部３２とは別の選択部９５を設けて、選択部９５が、ユーザが入力部２０に対して指で選択操作を行なうことによって送信の許可を選択したか否かを特定するものとしてもよい。
【０１００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０１】
１２  通信部、１３  記憶部、１４  制御部、１５  液晶パネル、１６  装置特定部、１７  データ処理部、１８  データ記憶部、１９  テーブル記憶部、２０  入力部、２１  表示部、２５  指紋情報生成部、３２，３８  指示特定部、６２  テーブル作成部、６７  データ処理部、７２  傾きセンサ、５０ａ，５０ｂ，５０ｃ，６０ａ，６０ｂ，６０ｃ，７０ａ，１５０ａ  通信装置、９５  選択部、９８  表向きアイコン、９９  裏向きアイコン。
【図１】
2010277275.tif 000003
【図２】
2010277275.tif 000004
【図３】
2010277275.tif 000005
【図４】
2010277275.tif 000006
【図５】
2010277275.tif 000007
【図６】
2010277275.tif 000008
【図７】
2010277275.tif 000009
【図８】
2010277275.tif 000010
【図９】
2010277275.tif 000011
【図１０】
2010277275.tif 000012
【図１１】
2010277275.tif 000013
【図１２】
2010277275.tif 000014
【図１３】
2010277275.tif 000015
【図１４】
2010277275.tif 000016
【図１５】
2010277275.tif 000017
【図１６】
2010277275.tif 000018
【図１７】
2010277275.tif 000019
【図１８】
2010277275.tif 000020
【図１９】
2010277275.tif 000021
【図２０】
2010277275.tif 000022
【図２１】
2010277275.tif 000023
【図２２】
2010277275.tif 000024
【図２３】
2010277275.tif 000025
【図２４】
2010277275.tif 000026
【図２５】
2010277275.tif 000027
【図２６】
2010277275.tif 000028
【図２７】
2010277275.tif 000029